(57)【特許請求の範囲】
【請求項１】
基地局とともに通信システムを構成し、前記基地局から通知される送信指示によって割り当てられた周波数ブロックを用いて当該基地局に無線転送ブロックを送信し、当該基地局から通知される再送制御信号の指示内容に応じて前記無線転送ブロックの再送を行う移動局であって、
前記再送制御信号を受信する毎に、当該再送制御信号の軟判定値を算出する軟判定値算出手段と、
前記軟判定値と所定の閾値との大小関係に基づいて、前記再送制御信号が前記無線転送ブロックの再送を指示するものか否かを判定する第１判定手段と、
前記再送制御信号とともに、前記送信指示を受信したか否かを判定する第２判定手段と、
前記第１判定手段による判定結果と、前記第２判定手段による判定結果とに応じて、前記無線転送ブロックの再送を制御する送信制御手段と、
前記送信指示が自己の移動局宛に送信されたものか否かを判定する第３判定手段と、
を備え、
前記第１判定手段は、前記第３判定手段の判定結果に基づいて、当該判定結果が自己の移動局宛の場合に対応する第１の閾値、又は、当該判定結果が他の移動局宛の場合に対応する第２の閾値を、前記軟判定値と比較することを特徴とする移動局。
【請求項２】
前記第１の閾値は、前記第２の閾値より大なることを特徴とする請求項１に記載の移動局。
【請求項３】
前記第１判定手段は、前記軟判定値が前記第１の閾値又は第２の閾値を下回った場合に、前記再送制御信号が前記無線転送ブロックの再送を指示するＮＡＣＫと判定し、前記軟判定値が前記第１の閾値又は第２の閾値以上であった場合に、前記再送制御信号が新たな無線転送ブロックの送信を指示するＡＣＫと判定することを特徴とする請求項１又は２に記載の移動局。
【請求項４】
前記第１判定手段は、前記軟判定値を、第１の閾値及び当該第１の閾値より小なる第２の閾値と夫々比較し、各値の大小関係から前記再送制御信号が前記無線転送ブロックの再送を指示するものか否かを判定することを特徴とする請求項１に記載の移動局。
【請求項５】
前記第１判定手段は、前記軟判定値が前記第２の閾値を下回った場合に、前記再送制御信号が前記無線転送ブロックの再送を指示するＮＡＣＫと判定し、前記軟判定値が前記第１の閾値を上回った場合に、前記再送制御信号が新たな無線転送ブロックの送信を指示するＡＣＫと判定し、前記軟判定値が前記第２の閾値以上で且つ前記第１の閾値以下である場合に、前記再送制御信号の指示内容を未判定とすることを特徴とする請求項４に記載の移動局。
【請求項６】
前記送信制御手段は、前記第１判定手段による判定結果がＡＣＫで、且つ、前記第２判定手段が前記送信指示を受信したと判定した場合に、この送信指示により割り当てられた周波数ブロックを用いて新たな無線転送ブロックを送信し、前記第１判定手段による判定結果がＮＡＣＫで、且つ、前記第２判定手段が前記送信指示を受信していないと判定した場合に、前回の送信と同じ周波数ブロックを用いて前記無線転送ブロックを再送し、前記第１判定手段による判定結果がＮＡＣＫで、且つ、前記第２判定手段が前記送信指示を受信したと判定した場合に、この送信指示により割り当てられた周波数ブロックを用いて前記無線転送ブロックを再送することを特徴とする請求項３又は５に記載の移動局。
【請求項７】
前記第１判定手段による判定結果が未判定の場合に、前記再送制御信号の再送を前記基地局に要求する再送要求手段を更に備えたことを特徴とする請求項６に記載の移動局。
【請求項８】
基地局とともに通信システムを構成し、前記基地局から通知される送信指示によって割り当てられた周波数ブロックを用いて当該基地局に無線転送ブロックを送信し、当該基地局から通知される再送制御信号の指示内容に応じて前記無線転送ブロックの再送を行う移動局での通信制御方法であって、
軟判定値算出手段が、前記再送制御信号を受信する毎に、当該再送制御信号の軟判定値を算出する軟判定値算出工程と、
第１判定手段が、前記軟判定値と所定の閾値との大小関係に基づいて、前記再送制御信号が前記無線転送ブロックの再送を指示するものか否かを判定する第１判定工程と、
第２判定手段が、前記再送制御信号とともに、前記送信指示を受信したか否かを判定する第２判定工程と、
制御手段が、前記第１判定工程での判定結果と、前記第２判定工程での判定結果とに応じて、前記無線転送ブロックの再送を制御する制御工程と、
を含み、
前記第１判定工程では、前記送信指示が自己の移動局宛に送信されたものか否かを判定し、当該判定結果に基づいて、当該判定結果が自己の移動局宛の場合に対応する第１の閾値、又は、当該判定結果が他の移動局宛の場合に対応する第２の閾値を、前記軟判定値と比較することを特徴とする通信制御方法。
【発明の詳細な説明】
【技術分野】
【０００１】
本発明は、移動局が基地局を介して相手局と通信を行う通信システムにおける、移動局、基地局及び通信制御方法に関するものである。
【背景技術】
【０００２】
図１５に示すような基地局と複数の移動局とから構成される従来の移動通信システムにおいて、移動局から基地局に対してパケットを送信する上りリンクでは、基地局は移動局から送信された既知信号の受信状態によって回線品質を測定することで、当該回線品質に応じたパケットの送信方法を決定し、この送信方法を移動局に通知している。そして、移動局は、基地局から通知された送信方法に従って、パケットを送信することで、所定の誤り率を実現しながら高効率なデータ伝送を実現している。
【０００３】
具体的に、移動局では、変調方式や符号化率を適応的に変更することで、所定の誤り率を実現している。例えば、回線品質が良好な場合や低速移動中の場合には、変調方式については変調多値数の多い６４ＱＡＭ（Ｑｕａｄｒａｔｕｒｅ  Ａｍｐｌｉｔｕｄｅ  Ｍｏｄｕｌａｔｉｏｎ）等を設定し、符号化率については“１”のように高い数値を設定する。また、回線品質が悪い場合や中速または高速移動中の場合には、変調方式については変調多値数の少ないＱＰＳＫ(Ｑｕａｄｒａｔｕｒｅ  Ｐｈａｓｅ  Ｓｈｉｆｔ  Ｋｅｙｉｎｇ)を設定し、符号化率については“０．２５”のように低い数値を設定することにより、伝送効率は上述の場合よりも劣るが雑音や干渉に耐性のあるパケット送信を実現している。このように、移動局では、回線品質に応じて変調方式、符号化率を変更することで、伝播環境の変動に応じたデータ伝送を実現している。
【０００４】
また、高速データ伝送を行うためには広帯域な伝送を行うことが望ましいが、広帯域マルチパス環境下では、周波数選択性フェージングの影響により、個々の移動局からの送信信号の電力強度（回線品質）は周波数軸方向で大きく変化する。この変化状況は移動局ごとに独立しているため、基地局が各移動局の状態を把握し周波数軸上での伝送制御（スケジューリング）を行うことが効率的なデータ伝送に有効であることが知られている。このような制御は、一般に「注水定理」と呼ばれる手法に従って行われる。この注水定理に基づいてスケジューリングを行うことで、例えば、基地局は、全帯域を所定の周波数ごとに分割したそれぞれの帯域（周波数ブロック）ごとに、回線品質の良好な移動局を選択し、選択した移動局にその周波数ブロックを割当てることができるため、システムスループットを向上させることが可能となる。
【０００５】
上述したように、基地局において注水定理に基づいたスケジューリングを行うことでシステムスループットを向上することが可能だが、移動通信システムでは無線を介してパケットを伝送するため、スケジューリングを行ったとしても必ずしも誤り無しでパケットを伝送できるとは限らない。雑音や干渉でパケットに誤りが生じることを前提とし、目標誤り率を定めてスケジューリングを行うことも考えられるが、この場合、例えば目標誤り率が０．１％に定められているとすると、１万回に１回しかパケットに誤りが生じないため高品質なデータ伝送が期待できるが、その分、誤りに耐性のあるパケット送信方法を選択しなければならないため、冗長性が増大し、システムスループットも低下することになる。
【０００６】
そこで、従来の移動通信システムでは、スケジューリングに際して誤り率を予め定め（例えば１０％）、ある程度の誤りを再送により補うことで効率的、高品質なデータ伝送を実現している。誤りが生じたパケットを再送する技術としては、ＨＡＲＱ(Ｈｙｂｒｉｄ  Ａｕｔｏｍａｔｉｃ  Ｒｅｐｅａｔ  ｒｅＱｕｅｓｔ)が用いられている。ＨＡＲＱでは、基地局にてスケジューリングされた設定値(変調方式、誤り率)を用いて移動局から基地局に対してパケットを送信し、基地局にてパケットを復号した結果、ＣＲＣ(Ｃｙｃｌｉｃ  Ｒｅｄｕｎｄａｎｃｙ  Ｃｈｅｃｋ)が正常ならば移動局に対してＡＣＫ(ＡＣＫｎｏｗｌｅｄｇｅ)を送信し、ＣＲＣが異常ならば移動局に対してＮＡＣＫ(Ｎｅｇａｔｉｖｅ  ＡＣＫｎｏｗｌｅｄｇｅ)を送信する。一方、移動局では、基地局からＡＣＫを受信した場合には、次のパケットを送信し、ＮＡＣＫを受信した場合には、既に送信したパケットの再送を行う。
【０００７】
一方、第三世代移動通信システムの標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）で規格化されたＥｖｏｌｖｅｄ  ＵＴＲＡ（Ｕｎｉｖｅｒｓａｌ  Ｔｅｒｒｅｓｔｒｉａｌ  Ｒａｄｉｏ  Ａｃｃｅｓｓ）の上りリンクでは、Ｓｉｎｇｌｅ  ｃａｒｒｉｅｒ  ＦＤＭＡ（Ｆｒｅｑｕｅｎｃｙ  Ｄｉｖｉｓｉｏｎ  Ｍｕｌｔｉｐｌｅ  Ａｃｃｅｓｓ）が採用されており、スケジューラは周波数ブロックと呼ばれるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）のサブキャリア群を伝送制御単位とし、一つ以上の連続した周波数ブロックを移動局に割り当てることが可能となっている。
【０００８】
Ｅｖｏｌｖｅｄ  ＵＴＲＡでは、移動局は基地局から割り当てられた周波数ブロックを用いてパケットを送信することになる。この場合、移動局から送信されたパケットを基地局で復号した結果、ＣＲＣが異常となり移動局に対してＮＡＣＫを通知する際に、スケジューラは初送とは異なる周波数ブロックを再送用に割り当てることで、周波数選択性フェージングによる回線品質の劣化を避けてスケジュールすることができる。そのため、Ｅｖｏｌｖｅｄ  ＵＴＲＡでは、回線品質が劣悪な状態で再送を繰り返す可能性を低減することが可能となっている。
【０００９】
しかし、移動局が低速もしくは停止している場合には、周波数上の回線品質の変動は小さいため、必ずしも初送と再送の周波数ブロックを変更する必要はない。よって、再送毎にスケジューラが周波数ブロックの割り当て情報を移動局に通知することは制御情報の増大につながり、下りリンクの無線リソースを有効に活用することができない。この問題に対し、非特許文献１には再送時の基地局と移動局との制御情報のやり取りについて、以下に示す二つの再送方法が開示されている。
【００１０】
まず、図１６を参照して、第１の再送方法について説明する。以下、この第１の再送方法を「Ｎｏｎ−ａｄａｐｔｉｖｅ  ＨＡＲＱ」と呼ぶ。まず、基地局は移動局に対してデータ送信方法を示す送信指示を通知する。ここで、この送信指示には移動局が送信すべき周波数ブロック（ＲＢ）の情報が含まれているものとする。図１６では移動局に対してＲＢ１とＲＢ２とを用いてパケットを送信するように通知している。
【００１１】
まず、移動局は基地局から通知された送信指示（図中（１）参照）に従い、ＲＢ１とＲＢ２とを用いてパケットを送信（初送）する（図中（２）参照）。基地局は、移動局から受信したパケットを復号し、ＣＲＣが異常の場合には移動局に対してＮＡＣＫを通知することになる。ここで、基地局は、移動局が再送に用いる周波数と、初送に用いた周波数とが同じでよい場合、或いは、２回目以降の再送に用いる周波数と、一つ前の再送に用いた周波数とが同じでよい場合には、移動局に対しＮＡＣＫのみを通知する（図中（３）参照）。移動局は基地局からＮＡＣＫを受信すると、送信指示を受信していないため初送と同じ周波数ブロックであるＲＢ１及びＴＢ２を用いて基地局に再送する（図中（４）参照）。
【００１２】
次に、図１７を参照して、第２の再送方法について説明する。以下、この第２の方法を「Ａｄａｐｔｉｖｅ  ＨＡＲＱ」と呼ぶ。なお、基地局が移動局に対して送信指示を通知してから基地局が移動局に対してＮＡＣＫを通知するまでの動作は、Ｎｏｎ−ａｄａｐｔｉｖｅ  ＨＡＲＱで説明した動作と同じであるため説明を省略する。
【００１３】
基地局は、移動局から受信したパケットを復号し、ＣＲＣが異常の場合には移動局に対してＮＡＣＫを通知することになる。ここで、基地局は、移動局がパケットの送信に用いる周波数を変更する場合には、ＮＡＣＫとともに、周波数ブロックの変更を通知する送信指示を移動局に対して通知する（図中（３）、（４）参照）。図１７の例では、基地局は移動局に対して初送に用いたＲＢ１及びＲＢ２の代わりに、ＲＢ３及びＲＢ４を用いることを送信指示により通知している。
【００１４】
一方、移動局は、基地局からＮＡＣＫと送信指示とを受信したため、初送とは異なる周波数ブロックＲＢ３及びＲＢ４を用いてパケットを再送する（図中（５）参照）。このように、Ｎｏｎ−ａｄａｐｔｉｖｅ  ＨＡＲＱでは、再送毎に基地局から移動局に対して制御情報を通知する必要がないため、下りリンクの無線リソースを有効に活用することができる。また、Ａｄａｐｔｉｖｅ  ＨＡＲＱでは、周波数選択性フェージングによって回線品質が劣化した場合においても、過去に用いた周波数ブロックとは異なる周波数ブロックでパケットを再送することができるため、高品質なデータ伝送が期待できる。
【００１５】
また、非特許文献２に記載されているように、再送制御信号（ＡＣＫ又はＮＡＣＫ）を通知するための物理チャネルであるＰＨＩＣＨ（Ｐｈｙｓｉｃａｌ  Ｈｙｂｒｉｄ  Ａｕｔｏｍａｔｉｃ  Ｒｅｐｅａｔ  Ｒｅｑｕｅｓｔ  Ｉｎｄｉｃａｔｏｒ  Ｃｈａｎｎｅｌ）は、データに繰り返し符号を施し、ＣＲＣを付与せずに移動局へ送信する。また、送信指示を通知するための物理チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）は、データに畳み込み符号を施し、ＣＲＣを付与する。
【００１６】
ここで、非特許文献３には、ＰＨＩＣＨ及びＰＤＣＣＨの目標誤り率が、夫々１０＾−３〜１０＾−４、１０＾−２と記載されている。この場合、パケットの送信周期が１ｍｓだとすると、ＰＨＩＣＨでは１秒から１０秒に一回誤りが発生し、ＰＤＣＣＨでは１００ｍｓに一回誤りが発生することになる。例えば、基地局がＮＡＣＫを通知したにも関わらず移動局がＡＣＫと誤検出した場合、移動局はパケットを再送しないため、基地局においてパケットの抜けが生じ、サービスの品質低下に繋がるといった問題が発生する。このような問題に対処する方法としては、特許文献１のように既知信号（パイロット信号）の回線品質によってＡＣＫの信頼度を推定し、信頼度が閾値以下である場合にＡＣＫをＮＡＣＫに上書きすることで、移動局が再送しないことによるパケットの抜けを防止する技術が開示されている。
【００１７】
【非特許文献１】３ＧＰＰ  ＴＳ３６．３００  ｖ８．３．０  「Ｏｖｅｒａｌｌ  ｄｅｓｃｒｉｐｔｉｏｎ；Ｓｔａｇｅ２」
【非特許文献２】３ＧＰＰ  ＴＳ３６．２１２  「Ｍｕｌｔｉｐｌｅｘｉｎｇ  ａｎｄ  ｃｈａｎｎｅｌ  ｃｏｄｉｎｇ（Ｒｅｌｅａｓｅ  ８）」
【非特許文献３】３ＧＰＰ  Ｒ２−０７２１０４  「ＬＳ  ｏｎ  ｔａｒｇｅｔ  ｑｕａｌｉｔｙ  ｏｎ  Ｌ１／Ｌ２  ｃｏｎｔｒｏｌ  ｃｈａｎｎｅｌ、ＲＡＮ  ＷＧ１」
【特許文献１】特開２００４−６４６９１号公報
【発明の開示】
【発明が解決しようとする課題】
【００１８】
ところで、特許文献１には、ＮＡＣＫがＡＣＫとして誤検出された場合については記載されているが、ＡＣＫがＮＡＣＫと誤検出された場合については何等考慮されていない。その理由は、ＡＣＫがＮＡＣＫと誤検出された場合には、送信側がパケットを再送しても受信側でパケットの重複を検出し、当該パケットを送信した送信側に対してもう一度ＡＣＫを通知すれば正常処理に戻るため、システムスループットに対して大きな影響を及ぼさないからである。
【００１９】
従来用いられているＨＳＤＰＡ（Ｈｉｇｈ  Ｓｐｅｅｄ  Ｄｏｗｎｌｉｎｋ  Ｐａｃｋｅｔ  Ａｃｃｅｓｓ）やＨＳＵＰＡ（Ｈｉｇｈ  Ｓｐｅｅｄ  Ｕｐｌｉｎｋ  Ｐａｃｋｅｔ  Ａｃｃｅｓｓ）等の符号分割多重方式を用いた通信システムでは、送信パケットを拡散符号によって広帯域に拡散して伝送することから周波数上では常に同じ帯域を使用している。そのため、上記の誤検出は以下に説明する問題を招来することはなかった。
【００２０】
ところが、Ｅｖｏｌｖｅｄ  ＵＴＲＡ等の周波数分割多重方式を用いた通信システムにおいては、移動局は基地局から通知された周波数ブロックを用いてパケットを送信するため、パケットを送信する毎に使用する周波数が異なるケースが生じる。そのため、以下のような問題が生じる可能性がある。
【００２１】
図１８は、図１５に示した従来の移動通信システムにおける通信の状態を示した図であり、基地局に対して移動局Ａと、移動局Ｂとが通信を行う構成を示している。まず、基地局は移動局Ａに対し、送信時に用いる周波数ブロック情報（ＲＢ１、ＲＢ２）等、種々の送信方法を指示するため送信指示を通知する（図中（１）参照）。移動局Ａは、基地局から通知された送信指示に従い、ＲＢ１、ＲＢ２を用いてパケットを送信する（図中（２）参照）。基地局は、移動局Ａから受信したパケットを復号し、ＣＲＣが正常ならば移動局Ａに対してＡＣＫを通知する（図中（３）参照）。以降、移動局Ａに対しては新規に無線リソースの割り当てはしないものとし、新たな送信指示は通知しない。
【００２２】
また、基地局は、移動局ＡへのＡＣＫの送信と同じ時刻に、移動局Ｂに対して周波数ブロック情報（ＲＢ１、ＲＢ２）を含む送信指示を通知したとする（４）。移動局Ａでは、基地局から送信されたＰＨＩＣＨを復号し、再送制御信号がＡＣＫであるかＮＡＣＫであるかを判定する。ここで移動局ＡがＡＣＫをＮＡＣＫと誤判定した場合、移動局Ａは送信指示の通知を受けていないためＮｏｎ−ａｄａｐｔｉｖｅ  ＨＡＲＱだと判断し、（２）の送信時と同様のＲＢ１及びＲＢ２を用いてパケットを再送する（図中（５）参照）。
【００２３】
一方、移動局Ｂでは、（４）にて新規に送信指示を受信しているため、ＲＢ１、ＲＢ２を用いてパケットを送信する（図中（６）参照）。結果として、基地局は同じ時刻、同じ周波数ブロック（ＲＢ１、ＲＢ２）に、異なる移動局からのパケットを受信することになる。そのため、移動局Ａの送信シンボルは、移動局Ｂの送信シンボルに対して干渉することになり、基地局では、本来受信すべき移動局Ｂのパケットを正常に復号することができないという問題が発生する。
【００２４】
本発明は、上記に鑑みてなされたものであって、基地局から移動局に対して通知された信号の誤判定の発生を低減し、且つ、再送が発生する頻度を低減させることが可能な移動局、基地局及び通信制御方法を提供することを目的とする。
【課題を解決するための手段】
【００２５】
上述した課題を解決し、目的を達成するために、本発明は、基地局とともに通信システムを構成し、前記基地局から通知される送信指示によって割り当てられた周波数ブロックを用いて当該基地局に無線転送ブロックを送信し、当該基地局から通知される再送制御信号の指示内容に応じて前記無線転送ブロックの再送を行う移動局であって、前記再送制御信号を受信する毎に、当該再送制御信号の軟判定値を算出する軟判定値算出手段と、前記軟判定値と所定の閾値との大小関係に基づいて、前記再送制御信号が前記無線転送ブロックの再送を指示するものか否かを判定する第１判定手段と、前記再送制御信号とともに、前記送信指示を受信したか否かを判定する第２判定手段と、前記第１判定手段による判定結果と、前記第２判定手段による判定結果とに応じて、前記無線転送ブロックの再送を制御する送信制御手段と、を備えたことを特徴とする。
【発明の効果】
【００２６】
この発明によれば、基地局から移動局に対して通知された信号の誤判定の発生を低減し、且つ、再送が発生する頻度を低減させることがきるという効果を奏する。
【発明を実施するための最良の形態】
【００２７】
以下に、本発明にかかる通信システム及び通信方法の実施の形態を図面に基づいて詳細に説明する。なお、この実施の形態により本発明が限定されるものではない。
【００２８】
実施の形態１．
図１は、本発明にかかる実施の形態１の通信システムを示した図である。この通信システムは、基地局１００と、複数の移動局２００とを有し、各基地局１００と移動局２００とが相互にパケットの送受信を行うことが可能な構成となっている。なお、図１では移動局２００が２つの場合を示しているが、移動局２００の個数はこれに限らないものとする。
【００２９】
図２は、図１に示した基地局１００の上り方向の通信に関する構成を示したブロック図である。同図に示したように、基地局１００は、各移動局２００からの信号を受信する無線信号受信部１０１と、無線信号受信部１０１が受信した信号を復調及び復号する復調・復号部１０２と、各移動局２００から受信した送信要求信号を受信する送信要求受信部１０３と、各移動局と基地局との無線回線品質を測定する回線品質測定部１０４と、各移動局が送信した無線転送ブロックを受信する無線転送ブロック受信部１０５と、無線転送ブロックの復号結果から移動局に対して再送を指示するか否かを決定する再送制御部１０６と、無線転送ブロックのうち正常に復号できた無線転送ブロックからパケットを再生するパケット再生部１０７と、各移動局に対して無線リソースの割り当てを制御するスケジューラ部１０８と、各移動局に対して再送の有無を表す再送制御信号を送信するための再送制御信号送信部１０９と、各移動局に対して無線リソースの割り当てを指示する送信指示送信部１１０と、再送制御信号と送信指示を符号化及び変調する符号化・変調部１１１と、符号化・変調された信号を各移動局に対して送信する無線信号送信部１１２と、を備える。
【００３０】
また、図３は、図１に示した移動局２００の上り方向の通信に関する構成を示したブロック図である。同図に示したように、移動局２００は、送信すべきデータが発生した場合にパケットを生成するパケット生成部２０１と、パケットを一時的に保持するパケットバッファ２０２と、パケットを基地局に対して送信する際の送信方法を指示する制御部２０３と、制御部から通知された情報に従ってパケットを無線転送ブロックに分割又は結合する無線転送ブロック生成部２０４と、パケットの生成に伴い基地局に対してパケットの送信機会を要求する送信要求送信部２０５と、基地局１００から通知された再送制御信号に基づき、無線転送ブロックの再送を制御する再送制御部２０６と、送信要求及び無線転送ブロックを制御部から指示されたデータ伝送方法に符号化及び変調する符号化・変調部２０７と、符号化・変調された信号を基地局に対して送信する無線信号送信部２０８と、基地局から送信された信号（以下、基地局信号という）を受信する無線信号受信部２０９と、無線信号受信部２０９が受信した信号を復調及び復号する復調・復号部２１０と、基地局信号から再送制御信号を抽出する再送制御信号受信部２１１と、基地局信号から無線転送ブロックを送信する方法を示す送信指示情報を抽出する送信指示受信部２１２と、再送制御信号の復号結果から基地局信号の信頼度を推定し、再送制御信号を判定する信号判定部２１３と、を備える。
【００３１】
以下、図２及び図３を参照して、基地局１００と移動局２００との動作について説明する。まず、移動局２００において送信すべきデータが発生すると、パケット生成部２０１は当該データのパケットを生成し、このパケットの送信機会が基地局１００から与えられるまでパケットバッファ２０２に格納する。また、パケット生成部２０１は、制御部２０３に対して新たなパケットが生成されたことを通知する。
【００３２】
制御部２０３は、パケット生成部２０１から新たなパケットの生成通知を受信すると、基地局１００に対して当該パケットの送信機会を要求するための送信要求を生成し、送信要求送信部２０５に送信する。
【００３３】
ここで、制御部２０３が生成する送信要求には、送信機会の要求を指示する情報が少なくとも含まれているものとするが、これに限らず、例えば、送信対象となるパケットのパケットサイズや、パケット生成部２０１がパケットバッファ２０２にパケットを格納してから現在までの滞留時間、パケットバッファ２０２に蓄えられている全てのパケットサイズ等を含めることとしてもよい。また、パケットサイズや滞留時間は、そのままの値を用いてもよいし、各時間を索引となるインデクスと対応付けて予め登録したテーブルを用い、このインデックスにより滞留時間を表してもよい。更には、移動局固有のＩＤ等の情報を含めてもよい。また、制御部２０３は、送信指示受信部２１２からパケットの送信指示を受信するまで、送信要求送信部２０５に対して連続的に送信要求を通知してもよい。なお、移動局固有のＩＤは任意の情報を用いることが可能であるものとするが、例えば、移動局２００の製造番号やＭＡＣアドレス等を用いることができる。
【００３４】
送信要求送信部２０５は、制御部２０３から受信した送信要求を、予め決められたタイミングで符号化・変調部２０７に送信する。ここで、符号化・変調部２０７に送信要求を送信するタイミングは、任意の値を設定することが可能であるとするが、例えば、基地局１００の図示しない制御部から前記タイミングを示す情報が通知される態様としてもよい。また、移動局２００毎にタイミングを決めるルールが予め設けられている態様としてもよく、この場合、各移動局固有のＩＤと特定の自然数とのモジュロを取り、その値を基準タイミングからのオフセット値として定義し、各移動局は基準タイミングからオフセット値だけずれたタイミングで送信要求を送信すればよい。
【００３５】
符号化・変調部２０７は、予め決められた符号化方法及び変調方法に基づいて、送信要求送信部２０５から受信した送信要求を符号化・変調し、無線信号送信部２０８を介して基地局１００に送信する。
【００３６】
一方、基地局１００では、無線信号受信部１０１が移動局２００から送信された信号を受信すると、復調・復号部１０２は予め決められた復調方式及び復号方法により、この信号を復調・復号する。送信要求受信部１０３は、復調・復号部１０２により復号された信号から送信要求の有無を検出し、この結果をスケジューラ部１０８に送信する。ここで、送信要求受信部１０３は、送信要求が受信された時刻を計時し、当該時刻においてどの移動局から送信要求が送信されたかを推定する。また、送信要求受信部１０３は、送信要求に前記パケットサイズや滞留時間などの情報が含まれている場合、これらの情報も抽出し、送信要求の有無、移動局２００に関する情報と合わせてスケジューラ部１０８に送信する。
【００３７】
回線品質測定部１０４は、各移動局２００から送信される所定の既知信号に基づき、これら既知信号を無線信号受信部１０１で受信した結果（受信状態）から、各移動局２００の基地局１００に対する上りリンクの回線品質を測定し、スケジューラ部１０８へ通知する。このように、スケジューリングの基本単位である周波数ブロック毎に回線品質を測定することで、特定の移動局２００に対して決め細やかに回線品質を把握することが可能となる。
【００３８】
なお、各移動局２００は予め決められたルールに従い既知信号を送信するものとする。例えば、図示しない基地局１００の制御部から各移動局に対して既知信号を送信する周期と、既知信号を送信する周波数とを通知すればよい。または、移動局２００が送信要求を送信するタイミングを決定したときと同じように、各移動局固有のＩＤを用いて予め決められたルールにより既知信号を送信すればよい。これにより、基地局１００は、予め決められた時刻及び周波数で受信した信号を、特定の移動局２００から送信された信号であると特定することができる。
【００３９】
スケジューラ部１０８は、送信要求受信部１０３から受信した送信要求と、回線品質測定部１０４から受信した回線品質と、再送制御部１０６から受信した後述する再送制御信号とを移動局２００毎に保持し、送信要求があった移動局２００に対し、当該移動局２００が無線転送ブロックを送信する際の無線リソース（周波数ブロック）や変調方式、符号化方式等の送信方法を決定する。具体的に、スケジューラ部１０８は、一又は複数の周波数ブロック単位で保持している移動局２００毎の回線品質を参照し、送信要求のあった移動局２００にとって回線品質が良好な周波数ブロックを割り当てる。また、移動局が送信する無線転送ブロックが目標誤り率を満たすように変調方式及び符号化率を決定する。
【００４０】
ここで、目標誤り率は予め一意に決められた値（例えば１０％の誤り率）を用いてもよいし、もし移動局２００が送信しようとしているパケット種別を基地局１００で認識できるのならば、パケットの種別に応じて異なる目標誤り率を用いてもよい。例えば、移動局２００が送信しようとしているパケットがＶｏＩＰやストリーミングといったリアルタイム系のサービスか、ＨＴＴＰやＦＴＰといった非リアルタイム系のサービスかを認識できれば、リアルタイム系のパケットの目標誤り率を非リアルタイム系のパケットの目標誤り率よりも低くすることができる。そのため、パケットの誤りによる再送遅延を低減することができるので、高品質なサービスを提供することができる。
【００４１】
また、スケジューラ部１０８は、移動局２００に対して割り当てた周波数ブロック、変調方式、符号化率等の送信方法を含む送信指示を、送信指示送信部１１０に送信する。
【００４２】
送信指示送信部１１０は、予め決められた送信タイミングでスケジューラ部１０８から受信した送信指示を符号化・変調部１１１に対して送信する。ここで、送信指示が送信されるタイミングは任意の値を設定することが可能であるとするが、例えば、Ｅｖｏｌｖｅｄ  ＵＴＲＡにおいて、ＴＴＩ（Ｔｒａｎｓｍｉｓｓｉｏｎ  Ｔｉｍｅ  Ｉｎｔｅｒｖａｌ）として定義されている固定の周期を用いることとしてもよい。なお、Ｅｖｏｌｖｅｄ  ＵＴＲＡを参考にするならば、送信タイミングは１ｍｓとなる。
【００４３】
符号化・変調部１１１は、予め決められた符号化方法及び変調方法に基づいて、送信指示を符号化・変調し、無線信号送信部１１２を介して移動局２００に対して送信する。なお、符号化・変調部１１１は、送信指示を符号化する際に、送信指示に付与するＣＲＣに送信対象となる移動局固有のＩＤを掛け合わせて送信してもよく、これにより、移動局２００は送信指示を復号した結果に自身のＩＤを掛け合わせることで自分宛の送信指示であると識別することができる。また、移動局２００が自局宛の送信か否かを識別するための別の方法としては、送信要求や既知信号の送信方法と同様に各移動局に予め決められた無線リソースを定義して送信指示を送信してもよい。
【００４４】
一方、移動局２００では、無線信号受信部２０９、復調・復号部２１０を介して基地局１００から送信された送信指示を受信すると、送信指示受信部２１２は、この送信指示が自己の移動局２００宛に送信されたものか否かを判定する。前述したように、基地局１００が送信指示に移動局固有のＩＤを乗算している場合には、送信指示受信部２１２は、復調・復号部２１０での複合結果（送信指示）に対して、自己の移動局２００のＩＤを掛け合わせて自局宛の送信指示であるか否かを判定する。また、別の方法として、基地局１００が予め決められた無線リソースを用いて送信指示を送信しているならば、送信指示受信部２１２は、この無線リソースの受信結果から自局宛の送信指示であるか否かを判定する。送信指示受信部２１２は、基地局１００から送信された送信指示が自己の移動局２００宛の送信指示と判定すると、この送信指示を制御部２０３及び信号判定部２１３に送信する。
【００４５】
制御部２０３は、基地局１００に対して送信した送信要求に対応する送信指示を、送信指示受信部２１２から受信すると、この送信指示に含まれる周波数ブロック、変調方式、符号化率等の情報から送信可能な無線転送ブロックサイズを計算し、無線転送ブロック生成部２０４に通知する。
【００４６】
無線転送ブロック生成部２０４は、パケットバッファ２０２の先頭に格納されたパケットを呼び出し、制御部２０３から通知された無線転送ブロックサイズに従って無線転送ブロックを生成する。ここで、パケットサイズよりも無線転送ブロックサイズが小さい場合には、当該パケットの一部を無線転送ブロックサイズだけ切り出してもよい。逆に、パケットサイズよりも無線転送ブロックサイズが大きい場合には、複数のパケットを呼び出して一つの無線転送ブロックに結合してもよい。また、無線転送ブロック生成部２０４は、生成した無線転送ブロックに制御情報としてパケットバッファ２０２に滞留しているパケット情報を付与してもよく、他の制御情報を合わせて付与してもよい。
【００４７】
再送制御部２０６は、無線転送ブロック生成部２０４により生成された無線転送ブロックを、符号化・変調部２０７へ送信する。また、再送制御部２０６は、制御部２０３が後述する再送制御信号を受信するまで送信済みの無線転送ブロックを保持し、制御部２０３から再送が要求されると、再送対象の無線転送ブロックを符号化・変調部２０７に送信する。符号化・変調部２０７は、制御部２０３が通知する送信指示に従った符号化方法及び変調方式を用いて無線転送ブロックを符号化・変調し、無線信号送信部２０８を介して基地局１００に送信する。
【００４８】
一方、基地局１００では、無線転送ブロック受信部１０５が、無線信号受信部１０１及び復調・復号部１０２を介して受信した信号から無線転送ブロックを抽出し、再送制御部１０６に送信する。なお、無線転送ブロック受信部１０５は、スケジューラ部１０８が各移動局２００に対して決定した送信指示に含まれる送信方法（周波数ブロック、変調方式、符号化率等）を予め把握しているものとする。
【００４９】
再送制御部１０６は、無線転送ブロック受信部１０５から受信した無線転送ブロックのＣＲＣ（巡回冗長検査：Ｃｙｃｌｉｃ  Ｒｅｄｕｎｄａｎｃｙ  Ｃｈｅｃｋ）を判定し、このＣＲＣが正常ならばパケット再生部１０７に無線転送ブロックを送信するとともに、スケジューラ部１０８に受信成功を示すＡＣＫを再送制御信号として通知する。一方、再送制御部１０６は、ＣＲＣが異常と判定すると、パケット再生部１０７に無線転送ブロックは送信せず、当該パケット再生部１０７及びスケジューラ部１０８に受信失敗を示すＮＡＣＫを再送制御信号として通知する。
【００５０】
パケット再生部１０７は、正常受信した無線転送ブロックからパケットを組み立て、この組み立てたパケットをネットワークに転送する。また、パケット再生部１０７は、再送制御部１０６から通知されるＮＡＣＫにより、無線転送ブロックの受信が失敗したと判断すると、無線転送ブロックが再送されるまで残りのパケットを保持する。
【００５１】
スケジューラ部１０８は、前述した回線品質、送信要求に加えて、再送制御部１０６から受信した再送制御信号を移動局２００毎に記憶する。ここで、再送制御信号がＮＡＣＫの場合には、対応する無線転送ブロックを再度受信する必要があるため、再送制御信号送信部１０９に対してＮＡＣＫを送信するとともに、回線品質を参考にして前述したように適切な周波数ブロック、変調方式、符号化率を含む送信指示を、送信指示送信部１１０に対して送信する。なお、背景技術で説明したように、移動局２００が初送に用いた周波数又は前回の再送に用いた周波数を変更する必要がない場合には、送信指示送信部１１０に対して送信指示は送信しないものとする。
【００５２】
一方、スケジューラ部１０８は、再送制御信号がＡＣＫの場合、再送制御信号送信部１０９に対してＡＣＫを送信する。また、スケジューラ部１０８は、移動局のバッファ状態に応じて継続的に送信指示を送信するか否かを決定する。もし、移動局に対応した送信要求がある場合又は移動局２００のパケットバッファ２０２に関連したパケット情報を受信している場合には、当該移動局２００に対する送信指示を生成し、送信要求送信部２０５に送信する。逆に、移動局２００に対して送信指示を送信する必要がない場合には、なにもしない。
【００５３】
ここで、スケジューラ部１０８は、送信指示に再送回数を示す情報を含めてもよく、更に前記情報は初送を示す情報を含めてもよい。例えば、再送回数を示す情報は、２ビットで表現されていてもよく、この場合“００”は初送を示し、“０１”は一回目の再送、“１０”は２回目の再送、“１１”は３回目の再送を示すようにすればよい。または、１ビット分の情報により初送か再送かを表すこととしてもよい。なお、再送制御信号及び送信指示は、符号化・変調部１１１及び無線信号送信部１１２を介して、移動局２００に送信される。
【００５４】
一方、移動局２００では、再送制御信号受信部２１１が、無線信号受信部２０９、復調・復号部２１０を介して基地局１００から信号を受信すると、この信号から再送制御信号を抽出し、信号判定部２１３に送信する。ここで、再送制御信号受信部２１１が再送制御信号を抽出するためには、この再送制御信号の送信時に用いた無線リソースの情報（周波数ユニット、時間）が必要となる。そのため、例えば、無線リソースの情報と、無線転送ブロックを送信するため基地局１００が移動局２００に通知した送信指示に含まれる送信方法（周波数ブロック，変調方式，符号化率のうち何れか一つ以上の情報）とが、１対１の対応関係となるルールを予め定義しておくことで、当該送信方法に対応する再送制御信号を抽出することが可能となる。なお、再送制御信号を送信するために用いた無線リソースの情報として「周波数ユニット」と記載したが、これは、移動局２００が無線転送ブロックを送信するのに用いる無線リソースの基本単位として定義した「周波数ブロック」とは異なるものとして定義する。つまり、一つの周波数ブロックと一つの周波数ユニットとは異なる帯域幅であってもよいし、異なる帯域であってもよい。
【００５５】
信号判定部２１３は、再送制御信号受信部２１１から受信した再送制御信号の軟判定値を算出すると、この軟判定値を予め定められた閾値と比較することで、再送制御信号がＡＣＫを示しているか、ＮＡＣＫを示しているかを判定し、この判定結果（ＡＣＫ又はＮＡＣＫ）を、制御部２０３に送信する。なお、軟判定値の算出方法は公知の技術を用いることが可能であるものとする。また、ＡＣＫ、ＮＡＣＫの判定の基準となる閾値の決め方については特に言及しないが、例えば基地局１００から送信される既知信号を用いて回線品質を測定し、この回線品質から閾値を一意に決めてもよい。
【００５６】
ここで、図４を参照し、信号判定部２１３の動作について説明する。なお、信号判定部２１３は、再送制御信号受信部２１１から受信した再送制御信号の軟判定値（図４ではＰと記す）からＡＣＫ又はＮＡＣＫを判定するための第１の閾値と第２の閾値とを、図示しない記憶媒体に予め保持しているものとする。ここで、図４では第１の閾値をＴｈ１、第２の閾値をＴｈ２と記しており、第１の閾値Ｔｈ１は第２の閾値Ｔｈ２よりも大なるものとする（Ｔｈ１＞Ｔｈ２）。
【００５７】
信号判定部２１３は、送信指示受信部２１２から自己の移動局２００宛の送信指示を受信すると、再送制御信号の軟判定値Ｐと第１の閾値Ｔｈ１とを比較し、再送制御信号の軟判定値Ｐが第１の閾値Ｔｈ１以上と判定した場合には（Ｐ≧Ｔｈ１）、再送制御信号をＡＣＫと判定する。逆に、信号判定部２１３は、再送制御信号の軟判定値Ｐが第１の閾値Ｔｈ１よりも小さいと判定した場合には（Ｐ＜Ｔｈ１）、再送制御信号をＮＡＣＫと判定する。
【００５８】
一方、信号判定部２１３は、送信指示受信部２１２から自己の移動局２００宛の送信指示を受信しないと、再送制御信号の軟判定値Ｐと第２の閾値Ｔｈ２とを比較し、再送制御信号の軟判定値Ｐが第２の閾値Ｔｈ２以上と判定した場合には（Ｐ≧Ｔｈ２）、再送制御信号をＡＣＫと判定する。逆に、信号判定部２１３は、再送制御信号の軟判定値Ｐが第２の閾値Ｔｈ２よりも小さいと判定した場合には（Ｐ＜Ｔｈ２）、再送制御信号をＮＡＣＫと判定する。
【００５９】
このように、自己及び他の移動局２００宛の送信指示に応じて予め定めた閾値と、再送制御信号の軟判定値Ｐとを比較することで、再送制御信号の判定を精度よく行うことが可能となるため、再送制御信号を誤判定する確率を低減することができる。
【００６０】
なお、第１の閾値Ｔｈ１と、第２の閾値Ｔｈ２との閾値の決め方については特に限定しないが、例えば、第１の閾値Ｔｈ１は、ＡＣＫをＮＡＣＫと誤認する確率に対して、ＮＡＣＫをＡＣＫと誤認する確率を１割程度低減できるような値に設定すればよい。逆に、第２の閾値Ｔｈ２は、ＮＡＣＫをＡＣＫと誤認する確率に対して、ＡＣＫをＮＡＣＫと誤認する確率を１割程度低減できるような値に設定すればよい。ここでいう「１割」は、単なる一例でしかなく他の値を用いてもよい。例えばスループットをコスト関数として閾値を随時更新するような方法を用いてもよい。
【００６１】
制御部２０３は、信号判定部２１３から受信した判定結果（ＡＣＫ又はＮＡＣＫ）、及び、送信指示受信部２１２から受信した送信指示の内容に応じて、以下に示す４種類の動作を行う。
【００６２】
制御部２０３は、信号判定部２１３からＡＣＫを受信し、且つ、送信指示受信部２１２から送信指示を受信しなかった場合、送信機会が与えられなかったものと判断し、なにもしない。なお、パケットバッファ２０２にパケットが滞留している場合には、必要に応じて送信要求を送信してもよい。
【００６３】
また、制御部２０３は、信号判定部２１３からＡＣＫを受信し、且つ、送信指示受信部２１２から送信指示を受信した場合、パケットバッファ２０２から新規にパケットを呼び出して無線転送ブロックを送信する。
【００６４】
また、制御部２０３は、信号判定部２１３からＮＡＣＫを受信し、且つ、送信指示受信部２１２から送信指示を受信しなかった場合、Ｎｏｎ−ａｄａｐｔｉｖｅ  ＨＡＲＱと判断し、一つ前の送信に用いた送信指示と同じ方法で無線転送ブロックを再送する。
【００６５】
また、制御部２０３は、信号判定部２１３からＮＡＣＫを受信し、且つ、送信指示受信部２１２から送信指示を受信した場合、Ａｄａｐｔｉｖｅ  ＨＡＲＱと判断し、送信指示に従って無線転送ブロックを再送する。
【００６６】
なお、前述したように、送信指示に初送と再送を示す情報が含まれている場合には、再送制御信号の判定結果に関わらず送信指示に従い、新たな無線転送ブロックを送信又は送信済みの無線転送ブロックを再送してもよい。
【００６７】
以上説明したように、本実施の形態によれば、基地局１００がＡＣＫのみを通知し、送信指示を通知しなかったにも関わらず、移動局２００がＡＣＫをＮＡＣＫと誤判定した場合であっても、移動局２００は、Ｎｏｎ−ａｄａｐｔｉｖｅ  ＨＡＲＱで無線転送ブロックを再送することで、他の移動局２００が基地局１００に送信した無線転送ブロックに干渉する確率を低減することができる。これにより、再送発生頻度を低減することが可能となるため、スループットを増大することができる。
【００６８】
また、本実施の形態によれば、移動局２００がＡＣＫをＮＡＣＫと誤判定する確率を低減することができるので、無駄な再送が起きる確率を低減することが可能となり、移動局２００の消費電力を節約することができる。
【００６９】
なお、本実施の形態をＥｖｏｌｖｅｄ  ＵＴＲＡに適用するならば、移動局２００において、従来の再送制御信号判定方法によって判定されたＮＡＣＫに加え、本実施の形態で説明したようなＡＣＫをＮＡＣＫと誤判定する確率が低い再送制御信号判定方法によって判定されたＮＡＣＫを、高信頼ＮＡＣＫ（Ｒｅｌｉａｂｌｅ  ＮＡＣＫ）として定義すればよい。これにより、従来のＮＡＣＫと高信頼ＮＡＣＫとを使い分けることで、より柔軟な制御を行うことが可能となる。
【００７０】
実施の形態２．
上述した実施の形態１では、第１の閾値Ｔｈ１と第２の閾値Ｔｈ２とを用い、自己の移動局２００宛の送信指示であるか否かに応じて、ＡＣＫをＮＡＣＫと誤判定する確率を低減する構成を説明した。本実施の形態では、移動局がＡＣＫ又はＮＡＣＫを誤判定する確率を低減することが可能な、実施の形態１とは異なる他の構成について説明する。
【００７１】
図５は、本実施の形態にかかる移動局３００の上り方向の通信に関する構成を示したブロック図である。図５に示したように、移動局３００は、上述した移動局２００の各機能部のうち、信号判定部２１３、制御部２０３を、信号判定部３０１、制御部３０２に替えた構成となっている。
【００７２】
また、図６は、本実施の形態にかかる基地局４００の上り方向の通信に関する構成を示したブロック図である。図６に示したように、基地局４００は、上述した基地局１００の各機能部のうち、スケジューラ部１０８をスケジューラ部４０１に替えた構成となっている。なお、基地局４００と移動局３００との関係は、図１に示した構成と同様であるため説明を省略する。以下、図５、６を参照して、信号判定部３０１、制御部３０４、スケジューラ部４０１について説明する。
【００７３】
移動局３００において、信号判定部３０１は、信号判定部２１３と同様の機能を有するとともに、再送制御信号受信部２１１から受信した再送制御信号の軟判定値を生成すると、この軟判定値を予め決められた第１の閾値Ｔｈ３と第２の閾値Ｔｈ４と夫々比較することで、再送制御信号がＡＣＫを示しているか、ＮＡＣＫを示しているかを判定する。
【００７４】
また、信号判定部３０１は、軟判定値に対する第１の閾値Ｔｈ３、第２の閾値Ｔｈ４の大小関係から、再送制御信号を「ＡＣＫ」、「ＮＡＣＫ」、「未判定」の３状態に分類し、この判定結果を制御部３０２に送信する。
【００７５】
制御部３０２は、制御部２０３と同様の機能を有するとともに、信号判定部３０１から受信した再送制御信号の判定結果に基づき、この判定結果がＡＣＫ又はＮＡＣＫの場合には、実施の形態１と同様の処理を行う。また、制御部３０２は、再送制御信号の判定結果が未判定の場合には、符号化・変調部２０７及び無線信号送信部２０８を介し再送制御信号の再送を要求する信号（再送制御信号再送要求）を基地局４００に対して送信する。
【００７６】
基地局４００において、スケジューラ部４０１は、スケジューラ部１０８と同様の機能を有するとともに、移動局３００からの再送制御信号の再送を要求する再送制御信号再送要求を受信すると、この移動局３００に対して再送制御信号を再送する。
【００７７】
以下、信号判定部３０１及び制御部３０２の動作について説明する。信号判定部３０１は、再送制御信号受信部２１１から再送制御信号を受信すると、再送制御信号の軟判定値を、第１の閾値Ｔｈ３及び第２の閾値Ｔｈ４と夫々比較する。なお、閾値Ｔｈ３、Ｔｈ４の定義は実施の形態１で述べた閾値Ｔｈ１、Ｔｈ２と同様である。
【００７８】
信号判定部３０１は、軟判定値が第１の閾値Ｔｈ３よりも大きいと判断した場合（軟判定値＞Ｔｈ３）、再送制御信号をＡＣＫと判定する。また、信号判定部３０１は、軟判定値が第２の閾値Ｔｈ４よりも小さいと判断した場合（軟判定値＜Ｔｈ４）、再送制御信号をＮＡＣＫと判定する。また、信号判定部３０１は、軟判定値が第１の閾値Ｔｈ３以下で、且つ、第２の閾値Ｔｈ４以上と判断した場合（Ｔｈ４≦軟判定値≦Ｔｈ３）、再送制御信号を未判定と判定する。つまり、信号判定部３０１は、軟判定値に対する第１の閾値Ｔｈ３、第２の閾値Ｔｈ４の大小関係に基づいて、再送制御信号の軟判定値を「ＡＣＫ」、「ＮＡＣＫ」、「未判定」の３状態に分類し、その判定結果を制御部３０２に通知する。
【００７９】
制御部３０２は、信号判定部３０１から通知された再送制御信号の判定結果に基づき、この判定結果がＡＣＫ又はＮＡＣＫの場合には、実施の形態１と同様の処理を行う。また、制御部３０２は、信号判定部３０１から通知された再送制御信号の判定結果が未判定の場合には、符号化・変調部２０７及び無線信号送信部２０８を介し再送制御信号の再送を要求する信号（再送制御信号再送要求）を基地局４００に対して送信する。
【００８０】
ここで、再送制御信号再送要求は、送信要求を用いてもよく、例えば１ビットの情報を用いて通常の送信要求を示す情報と再送制御信号再送要求を示す情報を区別できるようにすればよい。また、他の方法としては、図示しない下りリンクの回線品質を基地局４００に通知する回線品質情報送信部から送信される回線品質情報の１状態を用いてもよく、回線品質情報が５ビットで表されるならば「１１１１１」が再送制御信号再送要求を表すこととしてもよい。なお、前述したビット数及び「１１１１１」は例であり、これらに限定されるものではない。
【００８１】
一方、基地局４００では、スケジューラ部４０１が、移動局３００からの再送制御信号再送要求を受信すると、この移動局３００に対して再送制御信号を再送する。ここで、実施の形態１と同様、再送制御信号に加えて送信指示を送信してもよい。
【００８２】
以上説明したように、本実施の形態によれば、移動局３００の信号判定部３０１は、再送制御信号を「ＡＣＫ」、「ＮＡＣＫ」、「未判定」の３状態の何れかと判定し、この再送制御信号が未判定の場合には、制御部３０２が基地局４００に対し再送制御信号の再送を要求することで、再送制御信号を再度取得する。
【００８３】
これにより、移動局３００が受信した再送制御信号の誤判定確率を低減することができるため、無線転送ブロックを無駄に再送してしまう、若しくは、無線転送ブロックを再送しなくなる、といった非定常動作を防ぐことができる。
【００８４】
実施の形態３．
上述した実施の形態１、２では、移動局がＡＣＫをＮＡＣＫと誤判定することにより生じる問題を解決するための構成について説明した。本実施の形態では、基地局が送信指示を送信したにも関わらず、移動局が送信指示を受信できなかった場合に生じる問題を解決することが可能な構成について説明する。
【００８５】
図７は、本実施の形態で解決する問題を説明するための図である。ここで、図７は、図１５に示した従来の移動通信システムにおける、基地局に対する移動局Ａ、移動局Ｂとの通信状態を示している。
【００８６】
まず、基地局は移動局Ａに対して周波数ブロック情報（ＲＢ１、ＲＢ２）を含む第１の送信指示を通知する（図中（１）参照）。移動局Ａは、基地局から通知された第１の送信指示に従い、ＲＢ１及びＲＢ２を用いて無線転送ブロックを送信（初送）する（図中（２）参照）。基地局は、移動局Ａから受信した無線転送ブロックを復号し、ＣＲＣが正常ならば移動局Ａに対してＡＣＫを通知し、ＣＲＣが異常ならば移動局Ａに対してＮＡＣＫを通知する。なお、図７では、基地局がＣＲＣが異常だったと判断し、移動局Ａに対してＮＡＣＫを通知した場合を示している（図中（３）参照）。
【００８７】
また、基地局は、移動局Ａと基地局との上りリンクの回線品質を測定し、無線転送ブロックを受信した周波数ブロック（ＲＢ１、ＲＢ２）の回線品質が周波数選択性フェージングの影響で劣化していると判断すると、この周波数ブロック（ＲＢ１、ＲＢ２）とは異なる周波数ブロックで無線転送ブロックを再送するよう、移動局Ａに対して第２の送信指示を通知する。なお、図７では、第２の送信指示として周波数ブロック情報（ＲＢ３、ＲＢ４）が通知された場合を示している（図中（４）参照）。また、基地局は、移動局Ａに対する第２の送信指示の通知と同じ時刻に、移動局Ｂに対し周波数ブロック情報（ＲＢ１、ＲＢ２）を含む第１の送信指示を通知したとする（図中（５）参照）。
【００８８】
一方、移動局Ａでは、基地局から送信された再送制御信号を復号しＡＣＫであるか、ＮＡＣＫであるかを判定する。また、移動局Ａでは、基地局から送信された自己の移動局Ａ宛の第２の送信指示を抽出する。ここで、移動局Ａが再送制御信号をＮＡＣＫと判定したにも関わらず、自己の移動局Ａ宛の第２の送信指示を抽出できなかった場合、Ｎｏｎ−ａｄａｐｔｉｖｅ  ＨＡＲＱと判断するため、ＲＢ１及びＲＢ２を用いて無線転送ブロックを再送する（図中（６）参照）。
【００８９】
また、移動局Ｂでは、基地局から通知された第１の送信指示に従い、ＲＢ１及びＲＢ２を用いて無線転送ブロックを送信する（図中（７）参照）。このとき、基地局では、同じ時刻に移動局Ａ、Ｂからの無線転送ブロックを受信すると、基地局は同じ時刻、同じ周波数ブロック（ＲＢ１、ＲＢ２）に、複数の移動局Ａ、Ｂからの無線転送ブロックを受信することとなるため、移動局Ａの送信シンボルが移動局Ｂの送信シンボルに干渉を与えてしまう。これにより、本来受信すべき移動局Ｂの無線転送ブロックを正常に復号できなくなるという第１の問題が発生する。
【００９０】
さらに、第１の問題は以下に示す第２の問題を招来する。基地局は、移動局Ａに対し、周波数ブロック（ＲＢ３、ＲＢ４）を含む第２の送信指示を通知しているので、周波数ブロック（ＲＢ３、ＲＢ４）を用いて移動局Ａから送信される無線転送ブロックを復号する。しかしながら、移動局Ａは周波数ブロック（ＲＢ１、ＲＢ２）を用いて無線転送ブロックを送信しているため、基地局は移動局Ａから送信された無線転送ブロックを復号できない。よって、基地局は移動局Ａに対して再びＮＡＣＫを通知することとなる（図中（８）参照）。
【００９１】
また、基地局は、移動局Ｂに対しては周波数ブロック（ＲＢ１、ＲＢ２）を含む第１の送信指示を通知しているので、周波数ブロック（ＲＢ１、ＲＢ２）を用いて移動局Ａから送信される無線転送ブロックを復号する、しかしながら、前述したとおり、移動局Ａの送信シンボルが移動局Ｂの送信シンボルに干渉しているため、基地局は移動局Ｂから送信された無線転送ブロックを復号することができない。よって、基地局は、移動局ＡへのＮＡＣＫの通知と同じ時刻に、移動局Ｂに対してもＮＡＣＫを通知することとなる（図中（９）参照）。なお、背景技術で説明したように、基地局は移動局に対してＮＡＣＫのみを通知するか、送信指示をあわせて通知するかを選択することができるが、図７の例では、ＮＡＣＫのみを通知した場合を示している。
【００９２】
各移動局では、基地局が送信した再送制御信号を抽出するため、再送制御信号を送信するために用いた無線リソースの情報（周波数ユニット、時間）が必要となる。ここで、各移動局が、再送制御信号に対応した無線転送ブロックを送信するため、基地局から通知された送信指示に含まれる情報（周波数ブロック、変調方式、符号化率のうちいずれか一つ以上の情報）と、再送制御信号を送信するために用いた無線リソースの情報（周波数ユニット、時間）とを、関連付けたルールを予め定義しておくことは上述した通りである。この場合、基地局は、移動局Ａから受信した無線転送ブロック（再送）に対するＮＡＣＫを、移動局Ａに対して通知した第２の送信指示（ＲＢ３、ＲＢ４）に対応する無線リソースを用いて送信する。一方、移動局Ｂから受信した無線転送ブロック（初送）に対するＮＡＣＫを、移動局Ｂに対して通知した第１の送信指示（ＲＢ１、ＲＢ２）に対応する無線リソースを用いて送信する。
【００９３】
移動局Ｂは第１の送信指示を正常に受信しているため、第１の送信指示に対応した無線リソースを用いて再送制御信号を受信し復号する。一方、移動局Ａでは、第２の送信指示を正常に受信できていないため、第１の送信指示に対応した無線リソースを用いて再送制御信号を受信し、復号してしまう。つまり、基地局が移動局Ａに対して送信した再送制御信号を正常に受信できないどころか、基地局が移動局Ｂに対して送信した再送制御信号を誤って受信し、復号することになる。結果として、図７に示したように、移動局Ａと移動局Ｂとは、再び同じ周波数ブロック（ＲＢ１、ＲＢ２）を用いて、同じタイミングに無線転送ブロックを基地局に送信することとなるため（図中（１０）、（１１）参照）、移動局Ａの送信シンボルが移動局Ｂの送信シンボルに対して干渉を与えてしまうという第２の問題が発生する。なお、この問題は基地局が再び移動局Ａに対して送信指示を通知しない限り連続的に発生する。
【００９４】
そこで、本実施の形態では、上記した第２の問題を解決することを目的とする。なお、本実施の形態では、図７に示す通信状態、構成に限り適応されるのではなく、図７に示した以外の通信状態、構成に対しても適応することが可能である。
【００９５】
図８は、本実施の形態にかかる基地局５００の上り方向の通信に関する構成を示したブロック図である。図８に示したように、基地局５００は、上述した基地局１００の各機能部のうち、再送制御部１０６、スケジューラ部１０８を、再送制御部５０１、スケジューラ部５０２に替えた構成となっている。なお、基地局５００と移動局２００との関係は、図１に示した構成と同様であるため説明を省略する。また、移動局２００の構成は、上述した図３の構成と同じであるため説明を省略する。
【００９６】
再送制御部５０１は、再送制御部１０６と同様の機能を有するとともに、各移動局２００から送信される無線転送ブロックが衝突するか否か、即ち、複数の移動局２００から送信された無線転送ブロックが干渉状態にあるか否かを判定し、この判定結果を無線転送ブロックの受信状態としてスケジューラ部５０２に通知する。
【００９７】
スケジューラ部５０２は、スケジューラ部１０８と同様の機能を有するとともに、再送制御部５０１から通知される無線転送ブロックの受信状態に応じて、送信指示を移動局２００に送信する。
【００９８】
以下、図８及び図３を用いて、本実施の形態にかかる基地局５００と移動局２００との動作について説明する。まず、移動局２００において送信すべきデータが発生すると、パケット生成部２０１はパケットを生成し、当該パケットの送信機会が与えられるまでパケットバッファ２０２に格納する。また、パケット生成部２０１は、制御部２０３に対して新たなパケットが生成されたことを通知する。
【００９９】
制御部２０３は、パケット生成部２０１から新規パケットの生成通知を受信すると、基地局５００に対して当該パケットの送信機会を要求するための送信要求を生成し、この送信要求を送信要求送信部２０５に送信する。
【０１００】
送信要求送信部２０５は、制御部２０３から受信した送信要求を予め決められたタイミングで符号化・変調部２０７に送信する。符号化・変調部２０７は、予め決められた符号化方法及び変調方法に基づいて、送信要求を符号化・変調し、無線信号送信部２０８を介して基地局５００に対して送信する。
【０１０１】
一方、基地局５００では、移動局２００から送信された信号を無線信号受信部１０１が受信すると、復調・復号部１０２は、予め決められた復調方式及び復号方法により、この信号を復調・復号する。続いて、送信要求受信部１０３は、復調・復号部１０２により復号された信号から送信要求の有無を検出し、その結果をスケジューラ部５０２に送信する。また、送信要求にパケットサイズや滞留時間などの情報が付与されている場合は前記情報も抽出し、送信要求の有無、移動局情報と合わせてスケジューラ部５０２に送信する。
【０１０２】
回線品質測定部１０４は、各移動局から送信された既知信号を無線信号受信部１０１で受信した結果を用いて移動局２００から基地局５００に対しての上りリンクの回線品質を測定し、この測定結果をスケジューラ部５０２に通知する。
【０１０３】
スケジューラ部５０２は、送信要求受信部１０３から受信した送信要求と、回線品質測定部１０４から受信した回線品質と、再送制御部５０１から受信した再送制御信号とを移動局毎に保持し、送信要求がある移動局に対して無線転送ブロックを送信するための無線リソース及び送信方法を決定する。
【０１０４】
スケジューラ部５０２は、移動局２００に対して割り当てた周波数ブロック、変調方式、符号化率等の情報を含む送信指示を送信指示送信部１１０に送信する。送信指示送信部１１０は、予め決められた送信タイミングでスケジューラ部５０２から受信した送信指示を符号化・変調部１１１に対して送信する。続く、符号化・変調部１１１では、予め決められた符号化方法及び変調方法に基づいて送信要求を符号化・変調し、無線信号送信部１１２を介して移動局２００に対して送信する。
【０１０５】
一方、移動局２００では、送信指示受信部２１２が、無線信号受信部２０９、復調・復号部２１０を介して基地局５００から送信された送信指示を受信すると、自己の移動局２００宛の送信指示であるか否かを判定する。ここで、送信指示受信部２１２は、送信信号が自己の移動局２００宛の送信指示であると判定すると、制御部２０３及び信号判定部２１３に、この送信指示を送信する。
【０１０６】
制御部２０３は、基地局５００に送信した送信要求に対応する送信指示を、送信指示受信部２１２から受信すると、この送信指示に含まれる周波数ブロック、変調方式、符号化率などの情報から送信可能な無線転送ブロックサイズを計算し、無線転送ブロック生成部２０４に通知する。無線転送ブロック生成部２０４は、パケットバッファ２０２の先頭に格納されたパケットを呼び出し、制御部２０３から通知された無線転送ブロックサイズに従って無線転送ブロックを生成する。
【０１０７】
再送制御部２０６は、無線転送ブロックを符号化・変調部２０７に送信する。また、再送制御部２０６は、制御部２０３が再送制御信号を受信するまで無線転送ブロックを保持し、制御部２０３から再送が要求されると再送対象の無線転送ブロックを符号化・変調部２０７に送信する。符号化・変調部２０７は、制御部２０３が通知する送信指示に従った符号化方法及び変調方式を用いて符号化・変調し、無線信号送信部２０８を介して基地局１００に送信する。
【０１０８】
一方、基地局５００では、無線転送ブロック受信部１０５が、無線信号受信部１０１及び復調・復号部１０２を介して受信した信号から無線転送ブロックを抽出し、再送制御部５０１に送信する。
【０１０９】
続く、再送制御部５０１では、無線転送ブロック受信部１０５から受信した無線転送ブロックのＣＲＣを判定し、このＣＲＣが正常ならばパケット再生部１０７に無線転送ブロックを送信するとともに、スケジューラ部１０８に受信成功を示すＡＣＫを再送制御信号として通知する。一方、再送制御部１０６は、ＣＲＣが異常と判定すると、パケット再生部１０７に無線転送ブロックは送信せず、当該パケット再生部１０７及びスケジューラ部１０８に受信失敗を示すＮＡＣＫを再送制御信号として通知する。
【０１１０】
また、再送制御部５０１は、無線転送ブロック受信部１０５から受信した第１の無線転送ブロックが正当な移動局２００から送信されているか、もしくは、第１の無線転送ブロックが他の移動局２００が送信した第２の無線転送ブロックと衝突しているか否かを推定し、スケジューラ部５０２に対して無線転送ブロックの受信状態を通知する。
【０１１１】
ここで、再送制御部５０１は、無線転送ブロックの受信状態として、無線転送ブロックを受信できなかったことを示す「未受信」と、無線転送ブロックが干渉状態にあることを示す「衝突」と、無線転送ブロックを正常に受信できたことを示す「正常」と識別可能な情報をスケジューラ部５０２に通知するものとする。なお、再送制御部５０１が、無線転送ブロックの受信状態を推定する方法としては、例えば、無線転送ブロックを受信した周波数ブロックにおける受信電力を測定する方法が挙げられる。
【０１１２】
ここで、図７の例を参照し、上述した受信電力を測定する方法を説明する。基地局５００は、（４）のタイミングで移動局２００（移動局Ａ）に送信指示を通知すると、この送信指示に含まれる周波数ブロック（ＲＢ３、ＲＢ４）の受信電力を、（６）のタイミングで測定することになる。このとき、周波数ブロック（ＲＢ３、ＲＢ４）についての受信電力が所定の閾値を下回っていれば、移動局２００（移動局Ａ）は周波数ブロック（ＲＢ３、ＲＢ４）を用いて無線転送ブロックを送信していないと推定することができる。
【０１１３】
また、上記の方法に加え無線転送ブロックのＣＲＣ検査を行うことで、無線転送ブロックが衝突しているか否かを推定することができる。具体的に、基地局５００は、図７に示した（５）のタイミングで移動局２００（移動局Ｂ）に送信指示を通知すると、この送信指示に含まれる周波数ブロック（ＲＢ１、ＲＢ２）の受信電力を、（７）のタイミングで測定することになる。このとき、周波数ブロック（ＲＢ１、ＲＢ２）についての受信電力が閾値以上であるにも関わらず、略同時刻に移動局２００（移動局Ｂ）から受信した無線転送ブロックを復号した結果、ＣＲＣが異常だった場合には、他の移動局２００（移動局Ａ）が送信した無線転送ブロックが、移動局Ｂが送信した無線転送ブロックに干渉している（無線転送ブロックが衝突している）と推定する。
【０１１４】
また、上記した二つの工程により、受信電力が閾値以上であり、且つ、無線転送ブロックを復号した結果、ＣＲＣが正常であると判断した場合には、無線転送ブロックを正常に受信できたと推定できる。なお、無線転送ブロック受信状態を推定する手段は前述したような受信電力を測定する方法に限定するのではなく他の方法を用いてもよい。
【０１１５】
このように、移動局２００から送信される無線転送ブロックの受信状態を判別することで、基地局５００が移動局２００に対して送信した送信指示、再送制御信号を移動局２００が誤判定した場合でも、基地局５００側で早期に誤判定を検出することができる。
【０１１６】
パケット再生部１０７は、正常受信した無線転送ブロックからパケットを組み立て、この組み立てたパケットをネットワークに転送する。また、パケット再生部１０７は、再送制御部１０６から通知されるＮＡＣＫにより、無線転送ブロックの受信が失敗したと判断すると、無線転送ブロックが再送されるまで残りのパケットを保持する。
【０１１７】
スケジューラ部５０２は、前述した回線品質、送信要求に加えて、再送制御部１０６から受信した再送制御信号と、無線転送ブロック受信状態とを移動局２００毎に記憶する。ここで、再送制御信号がＮＡＣＫの場合には、対応する無線転送ブロックを再度受信する必要があるため、再送制御信号送信部１０９に対してＮＡＣＫを送信する。一方、再送制御信号がＡＣＫの場合には、再送制御信号送信部１０９に対してＡＣＫを送信する。
【０１１８】
さらに、スケジューラ部５０２は、無線転送ブロックの受信状態が「衝突」又は「未受信」を示している場合、ＮＡＣＫを送信すべき移動局２００に対して送信指示を再度送信する。ここで、送信指示により指示する周波数ブロックは、初送に用いた周波数ブロック、若しくは、前回の前の再送に用いた周波数ブロックと異なっていてもよいし、同じであってもよい。
【０１１９】
また、スケジューラ部５０２は、無線転送ブロック受信状態が「正常」を示している場合には、回線品質を参考にして前述したように適切な周波数ブロック、変調方式、符号化率を含む送信指示を送信指示送信部１１０に対して送信する。ただし、背景技術で説明したように、周波数ブロックを変更する必要がない場合には、送信指示送信部１１０に対して送信指示は送信しないものとする。
【０１２０】
また、スケジューラ部５０２は、移動局２００のバッファ状態に応じて継続的に送信指示を送信するか否かを決定する。ここで、スケジューラ部５０２は、移動局２００に対応した送信要求がある場合又は移動局２００のパケットバッファ２０２に関連したパケット情報を受信している場合には、当該移動局２００に対する送信指示を生成し、送信指示送信部１１０に送信する。逆に、スケジューラ部５０２は、移動局２００に対して送信指示を送信する必要がない場合には、なにもしない。なお、再送制御信号及び送信指示は、符号化・変調部１１１及び無線信号送信部１１２を介して、移動局２００に送信される。
【０１２１】
一方、移動局２００では、再送制御信号受信部２１１が、無線信号受信部２０９、復調・復号部２１０を介して基地局５００から信号を受信すると、この信号から再送制御信号を抽出し、信号判定部２１３に送信する。
【０１２２】
信号判定部２１３は、再送制御信号受信部２１１から受信した再送制御信号の軟判定値を生成すると、この軟判定値を予め決められた閾値と比較することで、再送制御信号がＡＣＫを示しているか、ＮＡＣＫを示しているかを判定し、この判定結果（ＡＣＫ又はＮＡＣＫ）を、制御部２０３に送信する。なお、本実施の形態では、上述した実施の形態１と同様、自己の移動局２００宛の送信指示があるか否かに応じて、第１の閾値と第２の閾値とが予め設けられているものとするが、この態様に限らず、例えば、一つの閾値によりＡＣＫかＮＡＣＫかを判定することとしてもよい。
【０１２３】
制御部２０３は、信号判定部２１３から受信した判定結果（ＡＣＫ又はＮＡＣＫ）、及び、送信指示受信部２１２から受信した送信指示の内容に応じて、上述した実施の形態１と同様の動作を行う。なお、前述したように、送信指示に初送と再送を示す情報が含まれている場合には、再送制御信号の判定結果に関わらず送信指示に従って無線転送ブロックを新規に送信若しくは再送してもよい。
【０１２４】
以上説明したように、本実施の形態によれば、基地局５００の再送制御部５０１は、無線転送ブロック受信状態を判定し、無線転送ブロック受信状態が「未受信」若しくは「衝突」を示す場合、スケジューラ部５０２は、過去に送信した送信指示を変更する・しないに関わらず、必ず当該移動局２００に対してＮＡＣＫとともに送信指示を通知する。また、無線転送ブロック受信状態が「正常」を示す場合、スケジューラ部５０２は、過去に送信した送信指示を変更する場合のみ、移動局２００に対してＮＡＣＫとともに送信指示を通知し、過去に送信した送信指示を変更する必要がない場合には、移動局２００に対してＮＡＣＫのみを通知する。
【０１２５】
これにより、基地局５００が移動局２００に対してＮＡＣＫと送信指示とを通知したにも関わらず、移動局２００が送信指示を受信できなかった場合であっても、当該移動局２００にＮｏｎ−ａｄａｐｔｉｖｅ  ＨＡＲＱで無線転送ブロックを再送させることで、基地局５００において受信した他の移動局２００の無線転送ブロックに対して干渉を与える確率を低減することができるため、結果として再送発生頻度を低減できスループットを増大できる。
【０１２６】
また、再送制御部５０１が判定した無線転送ブロックの受信状態が、「未受信」又は「衝突」であった場合、スケジューラ部５０２は移動局２００に対して送信指示を通知する。また、受信状態が「正常」であった場合、さらに、過去に送信した送信指示の内容を変更する必要がある場合には、移動局２００に対して送信指示を通知し、過去に送信した送信指示の内容を変更する必要がない場合は移動局２００に対して送信指示を通知する。これにより、常に送信指示を通知する場合に比べて下りリンクの制御情報量を削減することができる。
【０１２７】
なお、本実施の形態では、無線転送ブロック受信状態に応じて送信指示を送信するか否かの指標を変えるようにしたが、これに限らないものとする。例えば他の方法としては、基地局５００が移動局２００に対して過去に送信した送信指示の内容を変更する必要がある場合、それ以降は送信指示を必ず通知するようにしてもよい。図７を用いて説明すると、（４）にて送信指示の内容を変更しているため、（８）以降は無線転送ブロック受信状態に関わらず必ず基地局５００から移動局２００に対して送信指示を通知すればよい。
【０１２８】
実施の形態４．
本実施の形態では、実施の形態３で述べた方法をＥｖｏｌｖｅｄ  ＵＴＲＡに適用するための方法について説明する。
【０１２９】
図９は、本実施の形態にかかる基地局６００の上り方向の通信に関する構成を示したブロック図である。図９に示したように、基地局６００は、上述した基地局５００の各機能部のうち、スケジューラ部５０２を、スケジューラ部６０１に替えた構成となっている。なお、基地局６００と移動局２００との関係は、図１に示した構成と同様であるため説明を省略する。また、移動局２００の構成は、上述した図３の構成と同じであるため説明を省略する。
【０１３０】
スケジューラ部６０１は、スケジューラ部５０２と同様の機能を有するとともに、回線品質測定部１０４から受信した回線品質、再送制御部１０６から受信した再送制御信号、及び、送信要求受信部１０３から受信した送信要求に応じて、第１の送信指示又は当該第１の送信指示から特定の構成要素を除去した第２の送信指示を生成し、送信指示として送信指示送信部１１０に送信する。
【０１３１】
具体的に、スケジューラ部６０１は、移動局２００毎に送信指示を生成（送信）したか否かを示す情報を保持し、各移動局２００に対する送信指示の送信有無を管理する。また、スケジューラ部６０１は、移動局２００に対して新規に送信指示を送信する場合には、第１の送信指示を生成し、送信指示として送信指示送信部１１０に送信する。
【０１３２】
また、スケジューラ部６０１は、移動局２００に対し既に送信指示を送信済みであるが、過去に送信した送信指示を構成する構成要素のうち、特定の構成要素の設定を変更すればよい場合には、これら特定の構成要素の設定変更を指示した第２の送信指示を生成し、送信指示として送信指示送信部１１０に送信する。なお、実施の形態２と同様に、過去に送信した送信指示の内容を変更する必要がない場合には、再送制御信号のみを送信し、第１の送信指示、第２の送信指示の何れも送信しなくてもよいものとする。
【０１３３】
以下、図１０〜図１２を用いて、第１の送信指示及び第２の送信指示の具体例について説明する。なお、ここでは、基地局６００が備える図示しない記憶媒体内に、第１の送信指示と、当該第１の送信指示から固定値となる静的な構成要素を除いた第２の送信指示とが予め記憶されているものする。
【０１３４】
図１０は、第１の送信指示及び第２の送信指示の格納先を定義した格納先テーブルを示した図である。同図に示したように、格納先テーブルには、送信指示の種別を表す「カテゴリ」と、当該カテゴリに対応する送信指示の格納先を示した「パラメータ」とが関連付けて登録されている。なお、格納先テーブルは、基地局６００が備える図示しない記憶媒体内に予め記憶されているものとする。
【０１３５】
図１０に示したように、カテゴリが２種類である場合、１ビットの情報があれば２種類のカテゴリを表すことができる。また、カテゴリの種別は、図１０の例に限定されず、３以上としてもよく、その場合はカテゴリを示す情報は１ビット以上としてもよい。
【０１３６】
図１１は、第１の送信指示に含まれる構成要素を示した図である。ここで、同図に示す各構成要素は、３ＧＰＰ  Ｒ１−０７３８７０に規定された各構成要素に対応するものである。なお、第１の送信指示の各構成要素は、格納先テーブルでのカテゴリ１に関連付けられたパラメータが示す格納先に格納されているものとする。
【０１３７】
スケジューラ部６０１は、移動局２００に対して送信指示を送信しておらず、新規に送信指示を送信する場合に、格納先テーブルのカテゴリ１に関連付けられたパラメータが示す格納先、即ち、図１１に示した第１の送信指示の各構成要素を参照し、当該各構成要素に基づいて第１の送信指示を生成する。なお、図１１は一例であって、図１１に示した構成要素が全て必要であるというわけではない。また、図１１の構成要素に対して新たな要素を追加することとしてもよい。
【０１３８】
図１２は、第２の送信指示に含まれる構成要素を示した図である。同図に示したように、第２の送信指示に含まれる構成要素は、図１１に示した第１の送信指示から「Ｔｒａｎｓｐｏｒｔ  ｆｏｒｍａｔ」、「ＴＰＣ」、「Ｃｙｃｌｉｃ  ｓｈｉｆｔ  ｆｏｒ  ＤＭＲＳ」、「ＵＬ  ｉｎｄｅｘ（ＴＤＤ）、「Ｆｒｅｑｕｅｎｃｙ  ｈｏｐｐｉｎｇ  ｉｎｆｏｒｍａｔｉｏｎ」、「Ｄｕｒａｔｉｏｎ」及び「Ｔｘ  ａｎｔｅｎｎａ  ｓｅｌｅｃｔｉｏｎ」の要素を除いたものとなっている。なお、第２の送信指示の各構成要素は、格納先テーブルでのカテゴリ２に関連付けられたパラメータが示す格納先に格納されているものとする。
【０１３９】
スケジューラ部６０１は、移動局２００に対し送信指示を既に送信しており、且つ、過去に送信した送信指示を構成する構成要素のうち、特定の構成要素の設定を変更すればよい場合には、格納先テーブルのカテゴリ２に関連付けられたパラメータが示す格納先、即ち、図１２に示した第２の送信指示の各構成要素を参照し、当該各構成要素に基づいて第２の送信指示を生成する。
【０１４０】
なお、図１２に示した構成要素は一例であって、新たな要素が加えられてもよい。ただし、第２の送信指示に含まれる構成要素は、第１の送信指示に含まれる構成要素よりも少ないものとする。
【０１４１】
以上説明したように、本実施の形態によれば、移動局２００への送信指示の有無、当該送信指示の変更内容に応じて、第１の送信指示と、当該第１の送信指示から特定の構成要素を除去した第２の送信指示とを切り替えて送信する。これにより、基地局６００は、不必要な構成要素を含む送信指示を送信する頻度を低減することができるため、下りリンクの制御情報量を削減することができる。
【０１４２】
なお、本実施形態では、第２の送信指示の構成要素を予め定義した状態で保持する態様としたが、これに限らず、第１の送信指示に含まれる構成要素から動的に第２の送信信号を生成する態様としてもよい。
【０１４３】
実施の形態５．
実施の形態１では、移動局２００がＡＣＫをＮＡＣＫと誤判定することで生じる問題を解決するための構成について説明した。本実施の形態では、移動局２００がＮＡＣＫをＡＣＫと誤判定することで生じる問題を解決するための構成について説明する。
【０１４４】
まず、図１３を参照して、本実施の形態が対象とする問題について説明する。図１３は、本実施の形態で解決する問題を説明するための図である。ここで、図１３は、図１５に示した従来の移動通信システムにおける、基地局−移動局Ａ間の通信状態を示している。
【０１４５】
まず、基地局は、移動局Ａに対し、周波数ブロック情報（ＲＢ１、ＲＢ２）を含む送信指示を通知する（図中（１）参照）。移動局Ａは、基地局から通知された送信指示に従い、ＲＢ１、ＲＢ２を用いて無線転送ブロックを送信（初送）する（図中（２）参照）。続いて、基地局は、移動局Ａから受信した無線転送ブロックを復号し、ＣＲＣが正常ならば移動局Ａに対してＡＣＫを通知し、ＣＲＣが異常ならば移動局Ａに対してＮＡＣＫを通知する。なお、図１３では、ＣＲＣが異常と判断された場合の通信状態を示しており、基地局は移動局に対しＮＡＣＫを通知している（図中（３）参照）。また、このとき、基地局は移動局Ａからの上りリンクの回線品質を測定し、回線品質が過去に送信指示を送信した時刻から大きく変動していないと判断した場合には、移動局Ａに対して送信指示を通知しない。
【０１４６】
一方、移動局Ａでは、基地局から送信された再送制御信号を復号すると、この再送制御信号がＡＣＫであるか、ＮＡＣＫであるかを判定する。また、移動局Ａは、基地局から送信された自己の移動局宛の送信指示を抽出する。ここで、基地局がＮＡＣＫを通知したのに対して、移動局Ａが再送制御信号をＡＣＫと誤判定し、さらに自己の移動局宛の送信指示を抽出できなかった場合、移動局Ａは自己の移動局宛の送信指示でないと判断するため、無線転送ブロックを基地局に対して再送しない（図中（４）参照）。結果として、基地局は移動局Ａから再送されるべき無線転送ブロックを受信できないという第１の問題が発生する。
【０１４７】
上述した第１の問題は、更に以下のような第２の問題を招来する。基地局は移動局Ａから無線転送ブロックを受信できなかったため、移動局Ａに対して再々送を指示するＮＡＣＫを再送制御信号に含めて送信する（図中（５）参照）。ここで、基地局は移動局Ａに対してＮＡＣＫと共に送信指示を送信する場合と、ＮＡＣＫのみを送信する場合とを選択することができるが、回線品質が大きく変動していない場合には、送信指示の内容を変更する必要がないためＮＡＣＫのみ送信することも考えられる。
【０１４８】
図１３の場合では、再々送を指示する場合において、送信指示は送信せずＮＡＣＫのみが送信されたことを示している。この場合、移動局Ａは、（４）にて無線転送ブロックを再送していないため、前記無線転送ブロックに対応する再送制御信号を受信しようとしない。よって、移動局Ａが無線転送ブロックを再々送しないため（図中（６）参照）、基地局は前記無線転送ブロックを受信することができないという第２の問題が発生する。なお、この問題は基地局が再び移動局２００に対して送信指示を通知しない限り連続的に発生する。結果として、基地局は、移動局Ａから受信すべき無線転送ブロックを受信できないため、データの抜けが発生し、上位にパケットを転送することができない。よって、スループットの低下を引き起こす。
【０１４９】
そこで、本実施の形態では、上記第１及び第２の問題を解決することを目的とする。なお、本実施の形態は、図１３に示す通信状態、構成に限り適応されるのではなく、図１３で示した以外の通信状態、構成に対しても適応することが可能である。
【０１５０】
図１４は、本実施の形態にかかる基地局７００の上り方向の通信に関する構成を示したブロック図である。図１４に示したように、基地局７００は、上述した基地局１００の各機能部のうち、スケジューラ部１０８、再送制御信号送信部１０９を、スケジューラ部７０１、再送制御信号送信部７０２に替えた構成となっている。なお、基地局７００と移動局２００との関係は、図１に示した構成と同様であるため説明を省略する。また、移動局２００の構成は、上述した図３の構成と同じであるため説明を省略する。
【０１５１】
スケジューラ部７０１は、スケジューラ部１０８と同様の機能を有するとともに、送信指示の生成有無に応じて、再送制御信号の目標誤り率を第１の目標誤り率、又は、第２の目標誤り率に設定し、再送制御信号送信部７０２に通知する、なお、第１の目標誤り率は第２の目標誤り率よりも高い値とする。
【０１５２】
具体的に、スケジューラ部７０１は、送信指示の生成を行う場合に、第１の目標誤り率を用いて再送制御信号を送信するように再送制御信号送信部１０９に対して通知する。また、スケジューラ部７０１は、送信信号の生成を行わない場合に、第２の目標誤り率を用いて再送制御信号を送信するように再送制御信号送信部１０９に対して通知する。
【０１５３】
再送制御信号送信部７０２は、再送制御信号送信部１０９と同様の機能を有するとともに、スケジューラ部７０１から受信した目標誤り率に応じて、再送制御信号を送信する。ここで、第２の目標誤り率を満たす再送制御信号の送信方法としては、例えば、第１の目標誤り率で定められた送信電力よりも高い送信電力で再送制御信号を送信すればよい。また別の方法によれば、第１の目標誤り率で再送制御信号をｋビットで送信していたならば、このｋビットの再送制御信号をｎ回繰り返して送信すればよい（ｋ、ｎは整数）。
【０１５４】
なお、ｋビットの再送制御信号をｎ回繰り返すためには再送制御信号の送信に用いる無線リソース（周波数ユニット、時間）もｎ倍必要になる。上述したように、無線転送ブロックを移動局２００が送信するために基地局７００が通知した送信指示に含まれる情報と、再送制御信号を送信するために用いた無線リソースの情報とが、１対１の対応関係となるルールを予め定義しておいた場合、送信指示に含まれる周波数ブロックがｐ個（ｎ≦ｐ）あれば、第１の目標誤り率で再送制御信号を送信する場合はｐ個の無線リソースのうち１個を用いてkビットを送信し、第２の目標誤り率で再送制御信号を送信する場合はｐ個の無線リソースのうちｎ個を用いてｋ×ｎビットを送信すればよい。
【０１５５】
以上説明したように、本実施の形態では、スケジューラ部７０１が再送制御信号と送信指示を同時に送信するか否かに応じて、再送制御信号の目標誤り率を変更する。これにより、移動局２００では、自分宛の送信指示を抽出できなかった場合、基地局７００がＮＡＣＫを通知したのに対して、移動局２００が再送制御信号をＡＣＫと誤判定する確率を低減することができるので、移動局２００が自分宛の送信指示はないと判断し、無線転送ブロックを基地局１００に対して再送しなくなる確率を低減することができ、基地局１００は移動局２００から再送されるべき無線転送ブロックを受信できないことによってパケットを上位に転送できなくなるという問題を解決することができるため、結果としてスループットを向上することができる。
【０１５６】
以上、本発明の実施の形態について説明したが、本発明はこれに限定されるものではなく、本発明の主旨を逸脱しない範囲での種々の変更、置換、追加などが可能である。例えば、上記実施の形態の何れかを組合せた構成としてもよい。
【産業上の利用可能性】
【０１５７】
以上のように、本発明にかかる移動局、基地局及び通信制御方法は、基地局から割り当てられる周波数ブロックを用いて移動局が基地局に無線転送ブロックを送信する通信システムに有用であり、特に、Ｅｖｏｌｖｅｄ  ＵＴＲＡ等の周波数分割多重方式を用いた通信システムに適している。
【図面の簡単な説明】
【０１５８】
【図１】通信システムの構成を示した図である。
【図２】実施の形態１にかかる基地局の構成を示したブロック図である。
【図３】実施の形態１にかかる移動局の構成を示したブロック図である。
【図４】図３に示した信号判定部の動作を説明するための図である。
【図５】実施の形態２にかかる移動局の構成を示したブロック図である。
【図６】実施の形態２にかかる基地局の構成を示したブロック図である。
【図７】実施の形態３で解決する問題を説明するための図である。
【図８】実施の形態３にかかる基地局の構成を示したブロック図である。
【図９】実施の形態４にかかる基地局の構成を示したブロック図である。
【図１０】第１の送信指示及び第２の送信指示の格納先を定義した格納先テーブルの一例を示した図である。
【図１１】第１の送信指示に含まれる構成要素の一例を示した図である。
【図１２】第２の送信指示に含まれる構成要素の一例を示した図である。
【図１３】実施の形態５で解決する問題を説明するための図である。
【図１４】実施の形態５にかかる基地局の構成を示したブロック図である。
【図１５】従来の通信システムの構成を示した図である。
【図１６】Ｎｏｎ−ａｄａｐｔｉｖｅ  ＨＡＲＱを説明するための図である。
【図１７】Ａｄａｐｔｉｖｅ  ＨＡＲＱを説明するための図である。
【図１８】従来の移動通信システムにおける通信の状態を示した図である。
【符号の説明】
【０１５９】
１００  基地局
１０１  無線信号受信部
１０２  復調・復号部
１０３  送信要求受信部
１０４  回線品質測定部
１０５  無線転送ブロック受信部
１０６  再送制御部
１０７  パケット再生部
１０８  スケジューラ部
１０９  再送制御信号送信部
１１０  送信指示送信部
１１１  符号化・変調部
１１２  無線信号送信部
２００  移動局
２０１  パケット生成部
２０２  パケットバッファ
２０３  制御部
２０４  無線転送ブロック生成部
２０５  送信要求送信部
２０６  再送制御部
２０７  符号化・変調部
２０８  無線信号送信部
２０９  無線信号受信部
２１０  復調・復号部
２１１  再送制御信号受信部
２１２  送信指示受信部
２１３  信号判定部
３００  移動局
３０１  信号判定部
３０２  制御部
４００  基地局
４０１  スケジューラ部
５００  基地局
５０１  再送制御部
５０２  スケジューラ部
６００  基地局
６０１  スケジューラ部
７００  基地局
７０１  スケジューラ部
７０２  再送制御信号送信部
【図１】
0004906750.tif 000002
【図２】
0004906750.tif 000003
【図３】
0004906750.tif 000004
【図４】
0004906750.tif 000005
【図５】
0004906750.tif 000006
【図６】
0004906750.tif 000007
【図７】
0004906750.tif 000008
【図８】
0004906750.tif 000009
【図９】
0004906750.tif 000010
【図１０】
0004906750.tif 000011
【図１１】
0004906750.tif 000012
【図１２】
0004906750.tif 000013
【図１３】
0004906750.tif 000014
【図１４】
0004906750.tif 000015
【図１５】
0004906750.tif 000016
【図１６】
0004906750.tif 000017
【図１７】
0004906750.tif 000018
【図１８】
0004906750.tif 000019